(57)【要約】【課題】常に最新のスケジュールデータを自端末に保存して管理しておくことが可能な携帯電話装置を提供する。【解決手段】携帯電話装置１は自端末上でユーザが指定した時間間隔毎に、予めユーザが登録したイベントのスケジュールデータをＷＷＷサーバ４へ自動的に取得しにいき、取得したデータを基に自動的にスケジュール登録・更新を行うＰＵＬＬ型スケジュール登録を行っている。携帯電話装置１では自端末上でユーザが指定した電話番号から着信があった時に電話送信者がパーソナルコンピュータ５からＷＷＷサーバ４にアップしたスケジュールデータを自動的にＷＷＷサーバ４へ取得しにいき、取得したデータを基に自動的にスケジュール登録・更新を行うＰＵＳＨ型のスケジュール登録を行っている。【選択図】　　　図１
2004146961.tif 000002
【特許請求の範囲】
【請求項１】
予め設定された予定表を管理するスケジューラを搭載する携帯電話装置がインタネットを介してコンテンツサーバにアクセス可能な移動通信システムであって、予め設定された取得間隔毎に前記コンテンツプロバイダに対してスケジュールデータの提供を要求する要求手段と、前記コンテンツプロバイダからダウンロードしたスケジュールデータを前記スケジューラに登録・更新する登録・更新手段とを前記携帯電話装置に有することを特徴とする移動通信システム。
【請求項２】
前記携帯電話装置に予め登録された電話番号から着信があった時に前記要求手段によって前記コンテンツプロバイダに対してスケジュールデータの提供を要求し、前記登録・更新手段によって前記スケジューラにスケジュールデータを登録・更新することを特徴とする請求項１記載の移動通信システム。
【請求項３】
予め設定された予定表を管理するスケジューラを搭載する携帯電話装置がインタネットを介してコンテンツサーバにアクセス可能な移動通信システムであって、前記携帯電話装置に予め登録された電話番号から着信があった時に前記コンテンツプロバイダに対してスケジュールデータの提供を要求する要求手段と、前記コンテンツプロバイダからダウンロードしたスケジュールデータを前記スケジューラに登録・更新する登録・更新手段とを前記携帯電話装置に有することを特徴とする移動通信システム。
【請求項４】
前記要求手段及び前記登録・更新手段は、前記コンテンツサーバからダウンロードしたプログラムを実行することで実現することを特徴とする請求項１から請求項３のいずれか記載の移動通信システム。
【請求項５】
予め設定された予定表を管理するスケジューラを搭載し、インタネットを介してコンテンツサーバにアクセス可能な携帯電話装置であって、予め設定された取得間隔毎に前記コンテンツプロバイダに対してスケジュールデータの提供を要求する要求手段と、前記コンテンツプロバイダからダウンロードしたスケジュールデータを前記スケジューラに登録・更新する登録・更新手段とを有することを特徴とする携帯電話装置。
【請求項６】
自端末に予め登録された電話番号から着信があった時に前記要求手段によって前記コンテンツプロバイダに対してスケジュールデータの提供を要求し、前記登録・更新手段によって前記スケジューラにスケジュールデータを登録・更新することを特徴とする請求項５記載の携帯電話装置。
【請求項７】
予め設定された予定表を管理するスケジューラを搭載し、インタネットを介してコンテンツサーバにアクセス可能な携帯電話装置であって、自端末に予め登録された電話番号から着信があった時に前記コンテンツプロバイダに対してスケジュールデータの提供を要求する要求手段と、前記コンテンツプロバイダからダウンロードしたスケジュールデータを前記スケジューラに登録・更新する登録・更新手段とを有することを特徴とする携帯電話装置。
【請求項８】
前記要求手段及び前記登録・更新手段は、前記コンテンツサーバからダウンロードしたプログラムを実行することで実現することを特徴とする請求項５から請求項７のいずれか記載の携帯電話装置。
【請求項９】
予め設定された予定表を管理するスケジューラを搭載し、インタネットを介してコンテンツサーバにアクセス可能な携帯電話装置のスケジュール登録方法であって、予め設定された取得間隔毎に前記コンテンツプロバイダに対してスケジュールデータの提供を要求するステップと、前記コンテンツプロバイダからダウンロードしたスケジュールデータを前記スケジューラに登録・更新するステップとを有することを特徴とするスケジュール登録方法。
【請求項１０】
前記携帯電話装置に予め登録された電話番号から着信があった時に前記スケジュールデータの提供を要求するステップにて前記コンテンツプロバイダに対してスケジュールデータの提供を要求し、前記スケジュールデータを登録・更新するステップにて前記スケジューラにスケジュールデータを登録・更新することを特徴とする請求項９記載のスケジュール登録方法。
【請求項１１】
予め設定された予定表を管理するスケジューラを搭載し、インタネットを介してコンテンツサーバにアクセス可能な携帯電話装置のスケジュール登録方法であって、前記携帯電話装置に予め登録された電話番号から着信があった時に前記コンテンツプロバイダに対してスケジュールデータの提供を要求するステップと、前記コンテンツプロバイダからダウンロードしたスケジュールデータを前記スケジューラに登録・更新するステップとを有することを特徴とするスケジュール登録方法。
【請求項１２】
前記スケジュールデータの提供を要求するステップ及び前記スケジュールデータを登録・更新するステップを実現するプログラムを前記コンテンツサーバからダウンロードするステップを含むことを特徴とする請求項９から請求項１１のいずれか記載のスケジュール登録方法。
【請求項１３】
予め設定された予定表を管理するスケジューラを搭載し、インタネットを介してコンテンツサーバにアクセス可能な携帯電話装置のスケジュール登録方法のプログラムであって、コンピュータに、予め設定された取得間隔毎に前記コンテンツプロバイダに対してスケジュールデータの提供を要求する処理と、前記コンテンツプロバイダからダウンロードしたスケジュールデータを前記スケジューラに登録・更新する処理とを実行させるためのプログラム。
【請求項１４】
予め設定された予定表を管理するスケジューラを搭載し、インタネットを介してコンテンツサーバにアクセス可能な携帯電話装置のスケジュール登録方法のプログラムであって、コンピュータに、予め登録された電話番号から着信があった時に前記コンテンツプロバイダに対してスケジュールデータの提供を要求する処理と、前記コンテンツプロバイダからダウンロードしたスケジュールデータを前記スケジューラに登録・更新する処理とを実行させるためのプログラム。
【発明の詳細な説明】
【０００１】
【発明の属する技術分野】
本発明は移動通信システム、携帯電話装置及びそれらに用いる自動スケジュール登録方法並びにそのプログラムに関し、特に携帯電話機に搭載されたスケジューラへのスケジュール登録を行う方法に関する。
【０００２】
【従来の技術】
従来、携帯電話機においては、その普及に伴って、通話機能のみならず、ウェブ閲覧機能、電子メールの送受信機能等が追加されている。さらに、この追加された機能としては、カレンダ機能やそのカレンダ機能を利用して予定表が書込まれるスケジューラ機能等がある。
【０００３】
しかしながら、携帯電話機では、端末内に搭載されるメモリ容量等の制限から詳細なスケジュールを記憶しておくことが無理であるため、インタネット上の特定サイトに携帯電話機のユーザが手動で予め詳細なスケジュールを登録しておき、その特定サイトをウェブ閲覧機能を用いて閲覧することで、スケジュールの確認等を行う方法も提案されている（例えば、特許文献１参照）。
【０００４】
【特許文献１】
特開２００２−１１８６７７号公報（第５〜７頁、図１）
【０００５】
【発明が解決しようとする課題】
上述した従来の携帯電話機では、そのスケジュール登録方法として、現在、手動で年月日・時刻・用件・アラーム通知の有無等の設定を入力する方法、特定の形式で記述された受信メールからユーザ確認のうえ自動登録する方法、上記の特定サイトをウェブ閲覧機能を用いて閲覧する方法等が用いられているが、それらのデータ登録はユーザ操作によって行われており、そのユーザ操作に手間がかかるという問題がある。
【０００６】
そこで、本発明の目的は上記の問題点を解消し、常に最新のスケジュールデータを自端末に保存して管理しておくことができる移動通信システム、携帯電話装置及びそれらに用いるスケジュール登録方法並びにそのプログラムを提供することにある。
【０００７】
【課題を解決するための手段】
本発明による移動通信システムは、予め設定された予定表を管理するスケジューラを搭載する携帯電話装置がインタネットを介してコンテンツサーバにアクセス可能な移動通信システムであって、予め設定された取得間隔毎に前記コンテンツプロバイダに対してスケジュールデータの提供を要求する要求手段と、前記コンテンツプロバイダからダウンロードしたスケジュールデータを前記スケジューラに登録・更新する登録・更新手段とを前記携帯電話装置に備えている。
【０００８】
本発明による他の移動通信システムは、予め設定された予定表を管理するスケジューラを搭載する携帯電話装置がインタネットを介してコンテンツサーバにアクセス可能な移動通信システムであって、前記携帯電話装置に予め登録された電話番号から着信があった時に前記コンテンツプロバイダに対してスケジュールデータの提供を要求する要求手段と、前記コンテンツプロバイダからダウンロードしたスケジュールデータを前記スケジューラに登録・更新する登録・更新手段とを前記携帯電話装置に備えている。
【０００９】
本発明による携帯電話装置は、予め設定された予定表を管理するスケジューラを搭載し、インタネットを介してコンテンツサーバにアクセス可能な携帯電話装置であって、予め設定された取得間隔毎に前記コンテンツプロバイダに対してスケジュールデータの提供を要求する要求手段と、前記コンテンツプロバイダからダウンロードしたスケジュールデータを前記スケジューラに登録・更新する登録・更新手段とを備えている。
【００１０】
本発明による他の携帯電話装置は、予め設定された予定表を管理するスケジューラを搭載し、インタネットを介してコンテンツサーバにアクセス可能な携帯電話装置であって、自端末に予め登録された電話番号から着信があった時に前記コンテンツプロバイダに対してスケジュールデータの提供を要求する要求手段と、前記コンテンツプロバイダからダウンロードしたスケジュールデータを前記スケジューラに登録・更新する登録・更新手段とを備えている。
【００１１】
本発明によるスケジュール登録方法は、予め設定された予定表を管理するスケジューラを搭載し、インタネットを介してコンテンツサーバにアクセス可能な携帯電話装置のスケジュール登録方法であって、予め設定された取得間隔毎に前記コンテンツプロバイダに対してスケジュールデータの提供を要求するステップと、前記コンテンツプロバイダからダウンロードしたスケジュールデータを前記スケジューラに登録・更新するステップとを備えている。
【００１２】
本発明による他のスケジュール登録方法は、予め設定された予定表を管理するスケジューラを搭載し、インタネットを介してコンテンツサーバにアクセス可能な携帯電話装置のスケジュール登録方法であって、前記携帯電話装置に予め登録された電話番号から着信があった時に前記コンテンツプロバイダに対してスケジュールデータの提供を要求するステップと、前記コンテンツプロバイダからダウンロードしたスケジュールデータを前記スケジューラに登録・更新するステップとを備えている。
【００１３】
本発明によるスケジュール登録方法のプログラムは、予め設定された予定表を管理するスケジューラを搭載し、インタネットを介してコンテンツサーバにアクセス可能な携帯電話装置のスケジュール登録方法のプログラムであって、コンピュータに、予め設定された取得間隔毎に前記コンテンツプロバイダに対してスケジュールデータの提供を要求する処理と、前記コンテンツプロバイダからダウンロードしたスケジュールデータを前記スケジューラに登録・更新する処理とを実行させている。
【００１４】
本発明による他のスケジュール登録方法のプログラムは、予め設定された予定表を管理するスケジューラを搭載し、インタネットを介してコンテンツサーバにアクセス可能な携帯電話装置のスケジュール登録方法のプログラムであって、コンピュータに、予め登録された電話番号から着信があった時に前記コンテンツプロバイダに対してスケジュールデータの提供を要求する処理と、前記コンテンツプロバイダからダウンロードしたスケジュールデータを前記スケジューラに登録・更新する処理とを実行させている。
【００１５】
すなわち、本発明の携帯電話装置は、自端末上でユーザが指定した時間間隔毎に、予めユーザが登録したイベント（例えば、花火スケジュール、コンサートスケジュール等）のスケジュールデータをコンテンツサーバへ自動的に取得しにいき、取得したデータを基に自動的にスケジュール登録・更新を行うＰＵＬＬ型スケジュール登録を行っている。
【００１６】
また、本発明の携帯電話装置では、自端末上でユーザが指定した電話番号から着信があった時に電話送信者（本人もしくは友人等の特定の相手）がパーソナルコンピュータからコンテンツサーバにアップしたスケジュールデータを自動的にサーバへ取得しにいき、取得したデータを基に自動的にスケジュール登録・更新を行うＰＵＳＨ型のスケジュール登録を行っている。
【００１７】
これらは、「ユーザにＰＵＬＬ受信を希望するイベントをいくつか選択させる」、「ユーザにＰＵＳＨ受信を許可する電話番号を入力させる」、「ユーザにデータ更新を希望する時間間隔を入力させる」、「指定時間間隔毎に、指定したイベントをパラメータとしてＷＷＷ（Ｗｏｒｌｄ　Ｗｉｄｅ　Ｗｅｂ）サーバ（コンテンツサーバ）へデータ送信要求を行い、そのパラメータに相当するスケジュールデータを自動取得しにいく」、「指定された電話番号から着信があった時に、その電話番号をパラメータとしてＷＷＷサーバへデータ送信要求を行い、そのパラメータ（電話番号）に相当するスケジュールデータを自動取得しにいく」、「受信したスケジュールデータを解析して自動的に携帯電話の既存スケジューラシステムにスケジュール登録を行う」等という機能を備えたＪＡＶＡ（Ｒ）プログラムをコンテンツプロバイダのＷＷＷサーバに置いておき、そのプログラムをダウンロードしてきて自端末内で実行させることによって実現している。
【００１８】
これによって、本発明の携帯電話装置では、ユーザが手動操作でスケジュール登録する手間が省けるうえに、常に最新のスケジュールデータに更新させておくことが可能となる。
【００１９】
【発明の実施の形態】
次に、本発明の実施例について図面を参照して説明する。図１は本発明の一実施例による移動通信システムの構成を示すブロック図である。図１において、本発明の一実施例による移動通信システムは携帯電話装置１と、基地局２と、ゲートウェイ３と、スケジュールデータを提供するＷＷＷ（Ｗｏｒｌｄ　Ｗｉｄｅ　Ｗｅｂ）サーバ４と、ＷＷＷサーバ４にスケジュールデータをアップするパーソナルコンピュータ（以下、パソコンとする）５とから構成され、ゲートウェイ３とＷＷＷサーバ４とパソコン５とがインタネット１００に接続されている。この場合、携帯電話装置１は基地局２とゲートウェイ３とインタネット１００とを通してＷＷＷサーバ４にアクセス可能となっている。
【００２０】
基地局２は携帯電話装置１から送られてきた無線情報をＬＡＮ（Ｌｏｃａｌ　Ａｒｅａ　Ｎｅｔｗｏｒｋ）を介してゲートウェイ３に伝える。ゲートウェイ３は基地局２から送られる情報を無線用プロトコルからＴＣＰ／ＩＰ（Ｔｒａｎｓｍｉｓｓｉｏｎ　Ｃｏｎｔｒｏｌ　Ｐｒｏｔｏｃｏｌ／Ｉｎｔｅｒｎｅｔ　Ｐｒｏｔｏｃｏｌ）にプロトコル変換を行い、インタネット１００を通してコンテンツプロバイダのＷＷＷサーバ４へ送る。
【００２１】
パソコン５はスケジュールデータをインタネット１００を通してＷＷＷサーバ４にアップしたり、携帯電話装置１に電話をすることによってＰＵＳＨ型のデータ送信を行う。
【００２２】
図２は図１の携帯電話装置１の構成を示すブロック図である。図２において、携帯電話装置１はアンテナ１１と、無線部１２と、制御部１３と、画面表示部１４と、書込み可能ＲＯＭ（リードオンリメモリ）１５と、環境ＫＶＭ（Ｋ　Ｖｉｒｔｕａｌ　Ｍａｃｈｉｎｅ）［ＪＡＶＡ（Ｒ）仮想マシン］１６と、ＲＡＭ（ランダムアクセスメモリ）１７と、タイマ１８と、スケジューラ１９とから構成されている。
【００２３】
無線部１２は基地局２とのデータの受け渡しを行い、制御部１３は書込み可能ＲＯＭ１５のプログラム１５ａを実行して各部への命令・情報を制御する。画面表示部１４は画面（図示せず）に文字やグラフィックを表示させる。
【００２４】
書込み可能ＲＯＭ１５はダウンロードしてきたプログラム１５ａを格納する。環境ＫＶＭ１６はＪＡＶＡ（Ｒ）プログラム１６ａを実行させ、ＲＡＭ１７はそのＪＡＶＡ（Ｒ）プログラム１６ａの実行によってコンテンツプロバイダ（ＷＷＷサーバ４）から受信したデータを格納する。タイマ１８はデータ取得間隔を測定し、スケジューラ１９はスケジュール管理を行う既存のシステムである。
【００２５】
図３は図１のＷＷＷサーバ４の構成を示すブロック図である。図３において、ＷＷＷサーバ４はＬＡＮを通じて情報授受を行うＬＡＮインタフェース４１と、コンテンツプログラムを提供するＷＷＷサーバプログラム４２と、配信するＪＡＶＡ（Ｒ）プログラム４３ａ及びスケジュールデータ４３ｂを格納するハードディスク４３とから構成されている。
【００２６】
図４は図１のＷＷＷサーバ４の処理動作を示すフローチャートであり、図５は図１の携帯電話装置１がＷＷＷサーバ４からＪＡＶＡ（Ｒ）プログラムをダウンロードしてくるまでの処理を示すシーケンスチャートであり、図６は図１の携帯電話装置１におけるＪＡＶＡ（Ｒ）プログラムの初期設定処理を示すフローチャートである。
【００２７】
また、図７〜図９は図１の携帯電話装置１における受信処理を示すフローチャートであり、図１０は図１の携帯電話装置１によるＷＷＷサーバ４からのスケジュールデータの受信処理をシーケンスチャートである。これら図１〜図１０を参照して本実施例の動作について説明する。
【００２８】
まず、ＷＷＷサーバ４の機能について説明する。ＷＷＷサーバ４は以下の機能を持ったＪＡＶＡ（Ｒ）プログラム４３ａをハードディスク４３内に備えておく。
【００２９】
ＪＡＶＡ（Ｒ）プログラム４３ａはユーザにデータ提供を希望するイベント（例えば、花火スケジュール、コンサートスケジュール等）をいくつか選択させる機能（図４ステップＳ１）と、ユーザにスケジュールデータのＰＵＳＨ送信を許可する電話番号を入力させる機能（図４ステップＳ２）と、ユーザにスケジュールデータの更新を希望する時間間隔を指定させる機能（図４ステップＳ３）と、上記の処理で指定された時間間隔毎にユーザが選択したイベントをパラメータとしてＷＷＷサーバ４へスケジュールデータを自動取得しにいく機能（図４ステップＳ４）と、上記で指定された電話番号から着信があった時にその電話番号をパラメータとしてＷＷＷサーバ４へスケジュールデータを自動取得しにいく機能（図４ステップＳ５）と、受信したスケジュールデータを解析して自動的に携帯電話装置１のスケジューラ１９にスケジュール登録を行う機能（図４ステップＳ６）とを備えている。
【００３０】
ＷＷＷサーバ４では数種類のイベントのスケジュールデータをハードディスク４３内に備えておき、この時、イベントとスケジュールデータとを関連付けておく（図４ステップＳ７）。また、スケジュールデータは常に更新させておくこととする。
【００３１】
さらに、ＷＷＷサーバ４はイベントデータを一般のパソコン５からインタネット１００を介してハードディスク４３にアップする機能をもつ。この時、パソコン５のモデムが保持する電話番号とアップしたイベントデータとを関連付けておく。
【００３２】
ＷＷＷサーバ４は携帯電話装置１内にダウンロードされたＪＡＶＡ（Ｒ）プログラム１６ａが環境ＫＶＭ１６上で実行され、ＷＷＷサーバ４がパラメータ（イベントもしくは電話番号）を持ったスケジュールデータ送信要求を受信すると、「そのパラメータ（イベント）に相当するイベントのスケジュールデータ」もしくは「パラメータ（電話番号）のパソコンからアップされたスケジュールデータ」をハードディスク４３から検索し、携帯電話装置１へと送信する（図４ステップＳ８）。
【００３３】
次に、携帯電話装置１がＷＷＷサーバ４からＪＡＶＡ（Ｒ）プログラム４３ａをダウンロードしてくるまでの処理について説明する。ユーザが携帯電話装置１のＷｅｂブラウザ（図示せず）上からＪＡＶＡ（Ｒ）プログラム４３ａのダウンロードを要求すると（図５のａ１参照）、スケジュールデータを提供するＷＷＷサーバ４内のＷＷＷサーバプログラム４２はハードディスク４３内に格納してあるプログラムをＬＡＮインタフェース４１から携帯電話装置１へ送信する（図５のａ２参照）。その際、ＷＷＷサーバ４に格納されているプログラムをＪＡＶＡ（Ｒ）で書くことによって、ネットワークを通じて取ってきたプログラムを携帯電話装置１内で実行させることができる。
【００３４】
ＪＡＶＡ（Ｒ）プログラムはＷＷＷサーバ４内のＬＡＮインタフェース４１からインタネット１００を通して送信され、ゲートウェイ３でプロトコル変換され（図５のａ３参照）、基地局２を介して携帯電話装置１の無線部１２へと送信される（図５のａ４参照）。
【００３５】
携帯電話装置１の制御部１３は無線部１２が受取ったプログラムがＪＡＶＡ（Ｒ）プログラムであることを検出すると、そのＪＡＶＡ（Ｒ）プログラムを書込み可能ＲＯＭ１５に格納し（図５のａ５参照）、環境ＫＶＭ１６上で実行させる（図５のａ６参照）。
【００３６】
次に、ＪＡＶＡ（Ｒ）プログラムの実行動作について説明する。まず、ＪＡＶＡ（Ｒ）プログラムの初期設定について述べる。携帯電話装置１内の環境ＫＶＭ１６上で動いているＪＡＶＡ（Ｒ）プログラム１６ａは画面表示部１４にイベントの要素（例えば、花火スケジュール、コンサートスケジュール等）を表示させ、ユーザにイベントを選択させる（図６ステップＳ１１）。この情報はＪＡＶＡ（Ｒ）プログラム１６ａ内で保持しておくこととする（図６ステップＳ１２）。
【００３７】
続いて、携帯電話装置１内の環境ＫＶＭ１６上で動いているＪＡＶＡ（Ｒ）プログラム１６ａは画面表示部１４に数字の入力装置を表示させ、ユーザにスケジュールデータの更新間隔（時間）を入力させる（図６ステップＳ１３）。この情報はＪＡＶＡ（Ｒ）プログラム１６ａ内で保持しておくこととする（図６ステップＳ１４）。
【００３８】
さらに、携帯電話装置１内の環境ＫＶＭ１６上で動いているＪＡＶＡ（Ｒ）プログラム１６ａは画面表示部１４に数字の入力装置を表示させ、ユーザにスケジュールデータのＰＵＳＨ受信を許可する電話番号を入力させる（図６ステップＳ１５）。この情報はＪＡＶＡ（Ｒ）プログラム１６ａ内で保持しておくこととする（図６ステップＳ１６）。
【００３９】
携帯電話装置１内の環境ＫＶＭ１６上で動いているＪＡＶＡ（Ｒ）プログラム１６ａはＰＵＬＬ受信の場合（図７ステップＳ２１）、タイマ１８を動かし（図７ステップＳ２２）、上記のスケジュールデータの更新間隔で定めた一定間隔毎に（図７ステップＳ２３）、上記のイベント選択で指定されたイベントデータをパラメータとして持ち、「ＷＷＷサーバ４へスケジュールデータを取得しに行く」という指示を制御部１３へ送る（図７ステップＳ２４）。
【００４０】
また、携帯電話装置１内の環境ＫＶＭ１６上で動いているＪＡＶＡ（Ｒ）プログラム１６ａはＰＵＳＨ受信の場合（図８ステップＳ２５）、ＪＡＶＡ（Ｒ）プログラム１６ａの実行中に（図８ステップＳ２６）、無線部１３が着信を受けると（図８ステップＳ２７）、その電話番号データとともに制御部１３を介して環境ＫＶＭ１６に着信があったことを通知する（図８ステップＳ２８）。
【００４１】
環境ＫＶＭ１６は着信通知を受けると、その電話番号が上記のＰＵＳＨ受信を許可する電話番号の入力で登録した電話番号と一致しているか否かを判別する（図８ステップＳ２９）。
【００４２】
環境ＫＶＭ１６は電話番号が登録してある電話番号と一致している場合、その電話番号をパラメータとして持ち「ＷＷＷサーバ４へスケジュールデータを取得しに行く」という指示を制御部１３へ送る（図８ステップＳ３０）。
【００４３】
携帯電話装置１でデータ受信を行う場合（図９ステップＳ３１）、上記の指示を受けた制御部１３は無線部１２から基地局２を介して情報を送る（図１０のｂ１参照）。その情報はゲートウェイ３でプロトコル変換が行われた上で（図１０のｂ２参照）、インタネット１００を通してスケジュールデータを提供するＷＷＷサーバ４へ伝えられる（図１０のｂ３参照）。
【００４４】
ＷＷＷサーバ４ではＬＡＮインタフェース４１が受取った情報をＷＷＷサーバプログラム４２に通知し、通知を受けたＷＷＷサーバプログラム４２はパラメータの解析を行い、パラメータに相当するイベントもしくは電話番号を識別する（図１０のｂ４参照）。
【００４５】
ＷＷＷサーバプログラム４２は解析で得られたイベント（電話番号）に関連付けられているスケジュールデータ４３ｂをハードディスク４３から取得し（図１０のｂ５参照）、ＬＡＮインタフェース４１から携帯電話装置１へ送信する。
【００４６】
スケジュールデータ４３はＬＡＮインタフェース４１からインタネット１００を通して送信され（図１０のｂ６参照）、ゲートウェイ３でプロトコル変換が行われた上で（図１０のｂ７参照）、基地局２を介して携帯電話装置１の無線部１２へ送信される（図１０のｂ８参照）。
【００４７】
携帯電話装置１の制御部１３は無線部１２が受取った情報がスケジュールデータであることを検出すると（図９ステップＳ３２）、そのスケジュールデータを環境ＫＶＭ１６に送り、環境ＫＶＭ１６はそのスケジュールデータをＲＡＭ１７に格納する（図９ステップＳ３３）。この際、ＪＡＶＡ（Ｒ）プログラム１６ａは制御部１３に対して受取った情報がスケジュールデータであれば、そのスケジュールデータを自動的にＲＡＭ１７に書込むという指示を出しておく。
【００４８】
携帯電話装置１でスケジュールを登録する場合、ＪＡＶＡ（Ｒ）プログラム１６ａはＲＡＭ１７上に正常なスケジュールデータが格納されたことを確認すると（図９ステップＳ３４）、スケジューラ１９に対してＲＡＭ１７上のスケジュールデータをスケジュール登録（もしくは更新）するように要求する（図９ステップＳ３５）。
【００４９】
要求を受けたスケジューラ１９はＲＡＭ１７上に保存されたスケジュールデータを解析し（図９ステップＳ３６）、スケジュールの登録（もしくは更新）を行う（図９ステップＳ３７）。以上の処理動作を繰り返すことによって、携帯電話装置１においてスケジューラ１９に登録されたスケジュールデータは最新情報へと更新される。
【００５０】
このように、本実施例では、携帯電話装置１から自動的にＷＷＷサーバ４へ希望するイベントのスケジュールデータを取得しにいき、携帯電話装置１内のスケジューラ１９に登録する方式をとることによって、ユーザの「イベントデータを探す」、「探したデータを手動でスケジュール登録する」、「データが更新されたことを自分で検知する」、「更新されたデータを手動で修正する」等というような手間をなくすことができ、常に最新のスケジュールデータを管理することができる。
【００５１】
また、本実施例では、指定した電話番号から着信があった時にスケジュールデータを取得しに行き、携帯電話装置１内のスケジューラ１９に登録する方式をとることによって、ユーザ本人もしくは友人等の特定の人物がＷＷＷサーバ４に登録したスケジュールデータを自動的にスケジューラ１９に登録・更新することができ、従来、不可能であったＰＵＳＨ型のスケジュールデータ受信及び登録を実現することができる。
【００５２】
【発明の効果】
以上説明したように本発明の携帯電話装置は、予め設定された予定表を管理するスケジューラを搭載し、インタネットを介してコンテンツサーバにアクセス可能な携帯電話装置において、予め設定された取得間隔毎にコンテンツプロバイダに対してスケジュールデータの提供を要求し、コンテンツプロバイダからダウンロードしたスケジュールデータをスケジューラに登録・更新することによって、常に最新のスケジュールデータを自端末に保存して管理しておくことができるという効果が得られる。
【００５３】
また、本発明による他の携帯電話装置は、予め設定された予定表を管理するスケジューラを搭載し、インタネットを介してコンテンツサーバにアクセス可能な携帯電話装置において、自端末に予め登録された電話番号から着信があった時にコンテンツプロバイダに対してスケジュールデータの提供を要求し、コンテンツプロバイダからダウンロードしたスケジュールデータをスケジューラに登録・更新することによって、常に最新のスケジュールデータを自端末に保存して管理しておくことができるという効果が得られる。
【図面の簡単な説明】
【図１】本発明の一実施例による移動通信システムの構成を示すブロック図である。
【図２】図１の携帯電話装置の構成を示すブロック図である。
【図３】図１のＷＷＷサーバの構成を示すブロック図である。
【図４】図１のＷＷＷサーバの処理動作を示すフローチャートである。
【図５】
図１の携帯電話装置がＷＷＷサーバからＪＡＶＡ（Ｒ）プログラムをダウンロ
ードしてくるまでの処理を示すシーケンスチャートである。
【図６】
図１の携帯電話装置におけるＪＡＶＡ（Ｒ）プログラムの初期設定処理を示す
フローチャートである。
【図７】
図１の携帯電話装置における受信処理を示すフローチャートである。
【図８】
図１の携帯電話装置における受信処理を示すフローチャートである。
【図９】
図１の携帯電話装置における受信処理を示すフローチャートである。
【図１０】
図１の携帯電話装置によるＷＷＷサーバからのスケジュールデータの受信処理
をシーケンスチャートである。
【符号の説明】
１　携帯電話装置
２　基地局
３　ゲートウェイ
４　ＷＷＷサーバ
５　パーソナルコンピュータ
１１　アンテナ
１２　無線部
１３　制御部
１４　画面表示部
１５　書込み可能ＲＯＭ
１５ａ　プログラム
１６　環境ＫＶＭ
１６ａ　ＪＡＶＡ（Ｒ）プログラム
１７　ＲＡＭ
１８　タイマ
１９　スケジューラ
４１　ＬＡＮインタフェース
４２　ＷＷＷサーバプログラム
４３　ハードディスク
４３ａ　ＪＡＶＡ（Ｒ）プログラム
４３ｂ　スケジュールデータ
１００　インタネット
【図１】
2004146961.tif 000003
【図２】
2004146961.tif 000004
【図３】
2004146961.tif 000005
【図４】
2004146961.tif 000006
【図５】
2004146961.tif 000007
【図６】
2004146961.tif 000008
【図７】
2004146961.tif 000009
【図８】
2004146961.tif 000010
【図９】
2004146961.tif 000011
【図１０】
2004146961.tif 000012